(57)【要約】本発明の送風装置の一つの態様は、モータと、モータによって中心軸周りに回転させられるインペラと、を備える。モータは、シャフトの径方向外側において、シャフトを囲むステータと、ステータの径方向外側において、ステータと径方向に隙間を介して対向するロータマグネットと、筒状でありロータマグネットを保持する第１筒状部を有するロータカップと、を有する。インペラは、ロータカップの径方向外側において第１筒状部を囲む筒状の第２筒状部を有するインペラカップと、第２筒状部の径方向外側面に位置する複数の羽根部と、を有する。ロータカップは、第１筒状部の下方部分から径方向外側に突出するフランジ部を有する。フランジ部とインペラカップとのうちの一方は、軸方向に窪む第１穴部を有する。フランジ部とインペラカップとのうちの他方は、少なくとも一部が第１穴部内に位置する第１凸部を有する。
2017222055.tif 000002
【特許請求の範囲】
【請求項１】
上下方向に延びる中心軸に沿って配置されるシャフトを有するモータと、
前記モータによって前記中心軸周りに回転させられるインペラと、
を備え、
前記モータは、
前記シャフトの径方向外側において、前記シャフトを囲むステータと、
前記ステータの径方向外側において、前記ステータと径方向に隙間を介して対向するロータマグネットと、
筒状であり前記ロータマグネットを保持する第１筒状部を有するロータカップと、
を有し、
前記インペラは、
前記ロータカップの径方向外側において前記第１筒状部を囲む筒状の第２筒状部を有するインペラカップと、
前記第２筒状部の径方向外側面に位置する複数の羽根部と、
を有し、
前記ロータカップは、前記第１筒状部の下方部分から径方向外側に突出するフランジ部を有し、
前記フランジ部と前記インペラカップとのうちの一方は、軸方向に窪む第１穴部を有し、
前記フランジ部と前記インペラカップとのうちの他方は、少なくとも一部が前記第１穴部内に位置する第１凸部を有する、送風装置。
【請求項２】
前記第１穴部および前記第１凸部の少なくとも一部は、前記第２筒状部における前記羽根部が接続される部分と周方向の位置が重なる、請求項１に記載の送風装置。
【請求項３】
前記インペラカップは、前記第２筒状部の上方部分から径方向内側に突出する接触部を有し、
前記接触部は、前記ロータカップの上側において前記ロータカップと接触し、
前記フランジ部は、前記第２筒状部の下側に隙間を空けて配置される、請求項１または２に記載の送風装置。
【請求項４】
前記フランジ部の径方向外側の端部は、前記第２筒状部の径方向外側面と径方向において同じ位置、または、前記第２筒状部の径方向外側面よりも径方向内側に位置する、請求項１から３のいずれか一項に記載の送風装置。
【請求項５】
前記インペラカップは、前記第２筒状部の径方向内側面から径方向内側に突出する複数のリブを有し、
前記複数のリブは、周方向に沿って互いに間隔を空けて配置され、前記第１筒状部の径方向外側面と接触する、請求項１から４のいずれか一項に記載の送風装置。
【請求項６】
前記第２筒状部は、前記第２筒状部の径方向内側面から径方向外側に窪む第１凹部を有し、
前記第１凹部内には、前記第２筒状部の径方向内側面と前記第１筒状部の径方向外側面とを接着する接着剤が配置される、請求項１から５のいずれか一項に記載の送風装置。
【請求項７】
前記フランジ部の周方向両側の縁部は、径方向内側から径方向外側に向かうに従って、互いに逆側の前記縁部に近づく向きに傾斜する、請求項１から６のいずれか一項に記載の送風装置。
【請求項８】
前記ロータカップは、前記第１筒状部の上端部に位置する蓋部を有し、
前記蓋部は、前記蓋部の上面から下側に窪む第２穴部を有し、
前記インペラカップは、少なくとも一部が前記第２穴部内に位置する第２凸部を有する、請求項１から７のいずれか一項に記載の送風装置。
【請求項９】
前記フランジ部は、前記第１穴部を有し、
前記インペラカップは、前記第１凸部を有する、請求項１から８のいずれか一項に記載の送風装置。
【請求項１０】
前記第１穴部は、前記フランジ部における径方向の中央に位置する、請求項９に記載の送風装置。
【請求項１１】
前記第１穴部は、前記フランジ部を軸方向に貫通し、
前記第１凸部は、前記第２筒状部から下側に突出し、
前記第１凸部の下端部は、前記フランジ部よりも下側に位置する、請求項９または１０に記載の送風装置。
【請求項１２】
前記第１穴部は、前記フランジ部を軸方向に貫通し、
前記ロータカップは、前記フランジ部の下面における前記第１穴部の周縁部に位置するバリを有する、請求項９から１１のいずれか一項に記載の送風装置。
【請求項１３】
前記インペラカップは、前記第１穴部を有し、
前記フランジ部は、
前記第１筒状部の下方部分から径方向外側に突出するフランジ部本体と、
前記フランジ部本体から突出する前記第１凸部と、
を有する、請求項１から８のいずれか一項に記載の送風装置。
【請求項１４】
前記第１穴部は、前記第２筒状部の下端部から上側に窪み、
前記第１凸部は、前記フランジ部本体の径方向外側の端部から上側に突出する、請求項１３に記載の送風装置。
【発明の詳細な説明】
【技術分野】
【０００１】
本発明は、送風装置に関する。本願は、２０１６年０６月２４日に出願された米国特許出願第６２／３５４１９０号に基づき優先権を主張し、その内容をここに援用する。
【背景技術】
【０００２】
ロータマグネットを保持するロータカップにインペラが取り付けられた送風装置が知られる。例えば、特許文献１には、送風装置として、ロータカップとしてのモータヨークとインペラとを備える送風機が記載される。
【先行技術文献】
【特許文献】
【０００３】
【特許文献１】特開２００２−５０９３号公報
【発明の概要】
【発明が解決しようとする課題】
【０００４】
上記のような送風装置において、ロータカップおよびインペラを高速回転させると、ロータカップに取り付けられたインペラのインペラカップが遠心力等によって径方向に変形する場合がある。そのため、インペラカップの周囲における空気の流れが変化し、送風装置の風量特性が低下する場合がある。また、インペラの羽根部がインペラを囲むハウジングに接触し、羽根部が破損する場合がある。【０００５】
本発明は、上記問題点に鑑みて、インペラカップの変形を抑制できる構造を有する送風装置を提供することを目的の一つとする。
【課題を解決するための手段】
【０００６】
本発明の送風装置の一つの態様は、上下方向に延びる中心軸に沿って配置されるシャフトを有するモータと、前記モータによって前記中心軸周りに回転させられるインペラと、を備え、前記モータは、前記シャフトの径方向外側において、前記シャフトを囲むステータと、前記ステータの径方向外側において、前記ステータと径方向に隙間を介して対向するロータマグネットと、筒状であり前記ロータマグネットを保持する第１筒状部を有するロータカップと、を有し、前記インペラは、前記ロータカップの径方向外側において前記第１筒状部を囲む筒状の第２筒状部を有するインペラカップと、前記第２筒状部の径方向外側面に位置する複数の羽根部と、を有し、前記ロータカップは、前記第１筒状部の下方部分から径方向外側に突出するフランジ部を有し、前記フランジ部と前記インペラカップとのうちの一方は、軸方向に窪む第１穴部を有し、前記フランジ部と前記インペラカップとのうちの他方は、少なくとも一部が前記第１穴部内に位置する第１凸部を有する。
【発明の効果】
【０００７】
本発明の一つの態様によれば、インペラカップの変形を抑制できる構造を有する送風装置が提供される。
【図面の簡単な説明】
【０００８】
【図１】図１は、第１実施形態の送風装置を示す断面図である。
【図２】図２は、第１実施形態のインペラおよびロータカップを示す斜視図である。
【図３】図３は、第１実施形態のロータカップを上側から視た図である。
【図４】図４は、第１実施形態のインペラの一部およびロータカップの一部を示す断面図である。
【図５】図５は、第１実施形態のインペラの一部およびロータカップの一部を示す斜視図である。
【図６】図６は、第１実施形態のインペラの一部を示す斜視図である。
【図７】図７は、第２実施形態のインペラおよびロータカップを示す斜視図である。
【図８】図８は、第２実施形態のロータカップを示す斜視図である。
【図９】図９は、第２実施形態のロータカップを上側から視た図である。
【図１０】図１０は、第２実施形態のインペラの一部およびロータカップの一部を示す断面図である。
【図１１】図１１は、第２実施形態のインペラを示す斜視図である。
【発明を実施するための形態】
【０００９】
各図に適宜示すＺ軸方向は、正の側を上側とし、負の側を下側とする上下方向である。なお、上下方向、上側および下側とは、単に各部の相対位置関係を説明するための名称であり、実際の配置関係等は、これらの名称で示される配置関係等以外の配置関係等であってもよい。
【００１０】
＜第１実施形態＞
図１に示すように、本実施形態の送風装置１０は、モータ支持部４０と、上下方向に延びる中心軸Ｊに沿って配置されるシャフト３１を有するモータ３０と、インペラ２０と、回路基板８０と、ハウジング５０と、を備える。以下の説明においては、中心軸Ｊと平行な方向、すなわち上下方向を単に「軸方向Ｚ」と呼ぶ。また、中心軸Ｊを中心とする径方向を単に「径方向」と呼び、中心軸Ｊを中心とする周方向を単に「周方向」と呼ぶ。
【００１１】
モータ支持部４０は、モータ３０を支持する。モータ支持部４０は、底板部４２と、ステータ支持部４１と、を有する。底板部４２は、中心軸Ｊを中心とする円環板状である。ステータ支持部４１は、底板部４２の径方向内縁部から上側に延びる円筒状である。ステータ支持部４１は、軸方向Ｚの両側に開口する。ステータ支持部４１の径方向内側面には、軸方向Ｚに間隔を空けて配置された２つのベアリングが固定される。
【００１２】
モータ３０は、シャフト３１と、ステータ３４と、ロータカップ３２と、ロータマグネット３３と、を有する。シャフト３１は、ステータ支持部４１の径方向内側面に固定された２つのベアリングに回転可能に支持される。シャフト３１の上端部は、ステータ支持部４１よりも上側に突出する。シャフト３１の上端部には、筒状の取付部材３６が嵌め合わされて固定される。
【００１３】
ステータ３４は、シャフト３１の径方向外側において、シャフト３１を囲む。ステータ３４は、例えば、中心軸Ｊを中心とする円環状である。ステータ３４は、ステータ支持部４１の径方向外側面に固定される。
【００１４】
ロータカップ３２は、下側に開口する筒状である。ロータカップ３２は、例えば、金属製である。ロータカップ３２は、第１筒状部３２ｂと、蓋部３２ａと、フランジ部３２ｃと、を有する。第１筒状部３２ｂは、中心軸Ｊを中心として軸方向Ｚに延びる円筒状である。第１筒状部３２ｂは、ステータ３４の径方向外側において、ステータ３４を囲む。
【００１５】
蓋部３２ａは、中心軸Ｊを中心とする円環板状である。蓋部３２ａの径方向外縁部は、第１筒状部３２ｂの上端部に繋がる。すなわち、蓋部３２ａは、第１筒状部３２ｂの上端部に位置する。蓋部３２ａは、ステータ３４の上側を覆う。蓋部３２ａの径方向内縁部３２ｆは、取付部材３６を介してシャフト３１の上端部に固定される。これにより、ロータカップ３２は、シャフト３１に固定される。蓋部３２ａの径方向外縁部は、下側に窪むインペラ支持部３２ｈである。図２および図３に示すように、蓋部３２ａは、蓋部３２ａを軸方向Ｚに貫通する複数の貫通孔３２ｇを有する。
【００１６】
フランジ部３２ｃは、第１筒状部３２ｂの下方部分から径方向外側に突出する。より詳細には、フランジ部３２ｃは、第１筒状部３２ｂの下端部から径方向外側に突出する。本実施形態においてロータカップ３２は、複数のフランジ部３２ｃを有する。図２および図３では、フランジ部３２ｃの数は、例えば、５個である。複数のフランジ部３２ｃは、周方向に沿って一周に亘って等間隔に配置される。
【００１７】
図３に示すように、フランジ部３２ｃの上側から視た形状は、径方向内側から径方向外側に向かうに従って周方向の寸法が小さくなる略台形状である。フランジ部３２ｃの周方向両側の縁部３２ｄは、径方向内側から径方向外側に向かうに従って、互いに逆側の縁部３２ｄに近づく向きに傾斜する。そのため、例えば、第１筒状部３２ｂから径方向外側に突出する円環板状部の一部をプレス金型で打ち抜いてフランジ部３２ｃを製造する場合、打ち抜かれる部分における縁部３２ｄと第１筒状部３２ｂの径方向外側面とに沿った部位の角度が、鈍角となる。これにより、円環板状部の一部を打ち抜くプレス金型の角度を鈍角にすることができる。したがって、プレス金型の摩耗を抑制でき、プレス金型の寿命を向上できる。
【００１８】
図４に示すように、フランジ部３２ｃの径方向外側の端部は、インペラカップ２１における後述する第２筒状部２１ａの径方向外側面と径方向においてほぼ同じ位置にある。フランジ部３２ｃの径方向外側の端部は、第２筒状部２１ａの径方向外側面よりも僅かに径方向内側に位置する。そのため、フランジ部が第２筒状部よりも径方向外側に突出するような場合に比べて、第２筒状部２１ａの径方向外側面に沿って流れる空気の流れが阻害されにくい。これにより、送風装置１０の風量が低減することを抑制でき、送風装置１０から生じる騒音を低減できる。
【００１９】
フランジ部３２ｃは、軸方向Ｚに窪む第１穴部３５を有する。本実施形態において第１穴部３５は、フランジ部３２ｃを軸方向Ｚに貫通する。図３に示すように、第１穴部３５は、周方向に延びる。第１穴部３５は、フランジ部３２ｃにおける径方向の中央に位置する。そのため、フランジ部３２ｃのうち第１穴部３５の径方向内側の部分における径方向の寸法Ｌ１と、フランジ部３２ｃのうち第１穴部３５の径方向外側の部分における径方向の寸法Ｌ２とは、ほぼ同じである。これにより、フランジ部３２ｃの強度を確保しやすい。また、フランジ部３２ｃの一部を打ち抜いて第１穴部３５を作る際に、第１穴部３５を作りやすい。
【００２０】
本実施形態において第１穴部３５は、例えば、フランジ部３２ｃの一部をプレス金型で打ち抜いて作られる。より詳細には、フランジ部３２ｃの下面がダイに設置された状態で、フランジ部３２ｃの上側からパンチを近づけて、フランジ部３２ｃの一部を打ち抜く。そのため、図５に示すように、例えば、フランジ部３２ｃの下面における第１穴部３５の周縁部には、バリ３２ｅが生じる。すなわち、ロータカップ３２は、フランジ部３２ｃの下面における第１穴部３５の周縁部に位置するバリ３２ｅを有する。
【００２１】
図１に示すように、ロータマグネット３３は、第１筒状部３２ｂの径方向内側面に固定される。これにより、第１筒状部３２ｂは、ロータマグネット３３を保持する。ロータマグネット３３は、ステータ３４の径方向外側において、ステータ３４と径方向に隙間を介して対向する。
【００２２】
インペラ２０は、モータ３０によって中心軸Ｊ周りに回転させられる。インペラ２０は、例えば、樹脂製である。インペラ２０は、複数の羽根部２２と、インペラカップ２１と、を有する。図２に示すように、複数の羽根部２２は、インペラカップ２１における後述する第２筒状部２１ａの径方向外側面に位置する。複数の羽根部２２は、周方向に沿って一周に亘って等間隔に配置される。図２では、羽根部２２の数は、例えば、５個である。羽根部２２は、インペラ２０が回転することで、軸方向Ｚに風を送る。
【００２３】
図１に示すように、インペラカップ２１は、軸方向Ｚの両側に開口する筒状である。インペラカップ２１は、径方向外側からロータカップ３２に嵌め合わされる。図６に示すように、インペラカップ２１は、第２筒状部２１ａと、複数のリブとしての複数の第１リブ２３ａおよび複数の第２リブ２３ｂと、接触部２１ｂと、第１凸部２１ｃと、を有する。
【００２４】
図１に示すように、第２筒状部２１ａは、ロータカップ３２の径方向外側において第１筒状部３２ｂを囲む筒状である。より詳細には、第２筒状部２１ａは、中心軸Ｊを中心とする円筒状である。図６に示すように、第２筒状部２１ａは、第２筒状部２１ａの径方向内側面から径方向外側に窪む第１凹部２１ｅを有する。図６では、第１凹部２１ｅは、周方向に沿って円環状に延びる溝である。第１凹部２１ｅは、第２筒状部２１ａの径方向内側面における軸方向Ｚの中央に位置する。第２筒状部２１ａは、第２筒状部２１ａの下端部から上側に窪む複数の第２凹部２１ｄを有する。複数の第２凹部２１ｄは、周方向に沿って一周に亘って等間隔に配置される。
【００２５】
複数の第１リブ２３ａおよび複数の第２リブ２３ｂは、第２筒状部２１ａの径方向内側面から径方向内側に突出する。第１リブ２３ａは、第２筒状部２１ａの径方向内側面のうち第１凹部２１ｅよりも下側の部分に位置する。第１リブ２３ａは、第２筒状部２１ａの径方向内側面における下端部から第１凹部２１ｅの下側の縁部まで軸方向Ｚに延びる。複数の第１リブ２３ａは、周方向に沿って互いに間隔を空けて配置される。より詳細には、複数の第１リブ２３ａは、周方向に沿って一周に亘って等間隔に配置される。
【００２６】
第２リブ２３ｂは、第２筒状部２１ａの径方向内側面のうち第１凹部２１ｅよりも上側の部分に位置する。第２リブ２３ｂは、第２筒状部２１ａの径方向内側面における上端部から第１凹部２１ｅの上側の縁部まで軸方向Ｚに延びる。複数の第２リブ２３ｂは、周方向に沿って互いに間隔を空けて配置される。複数の第２リブ２３ｂは、周方向に沿って一周に亘って等間隔に配置される。複数の第１リブ２３ａと複数の第２リブ２３ｂとは、それぞれ周方向において同じ位置に配置される。
【００２７】
複数の第１リブ２３ａおよび複数の第２リブ２３ｂは、第１筒状部３２ｂの径方向外側面と接触する。すなわち、インペラカップ２１は、複数の第１リブ２３ａおよび複数の第２リブ２３ｂを介して、ロータカップ３２の径方向外側面と接触する。これにより、インペラカップ２１とロータカップ３２の径方向外側面との接触面積を小さくできる。したがって、例えば、インペラカップ２１の熱膨張率とロータカップ３２の熱膨張率とが異なる場合に、熱膨張あるいは熱収縮によってロータカップ３２とインペラカップ２１とに生じる応力を低減できる。そのため、インペラカップ２１およびロータカップ３２が破損することを抑制できる。
【００２８】
具体的に、インペラ２０が樹脂製で、ロータカップ３２が金属製の場合には、例えば、インペラ２０の熱膨張率がロータカップ３２の熱膨張率よりも大きい。この場合において、例えば、送風装置１０が低温環境下に置かれた場合、インペラカップ２１の熱収縮による変形量は、ロータカップ３２の熱収縮による変形量よりも大きい。この場合であっても、上述したようにインペラカップ２１に生じる応力を低減できるため、樹脂製のインペラカップ２１が破損することを抑制できる。
【００２９】
図４に示すように、接触部２１ｂは、第２筒状部２１ａの上方部分から径方向内側に突出する。より詳細には、接触部２１ｂは、第２筒状部２１ａの上端部から径方向内側に突出する。図６に示すように、接触部２１ｂは、環状部２１ｆと、複数の第３リブ２３ｃと、を有する。環状部２１ｆは、中心軸Ｊを中心とする円環状である。環状部２１ｆの径方向外縁部は、第２筒状部２１ａの上端部と繋がる。図４に示すように、環状部２１ｆは、インペラ支持部３２ｈの上側に位置する。環状部２１ｆの径方向内側の端部は、蓋部３２ａと径方向に隙間を介して対向する。
【００３０】
図６に示すように、第３リブ２３ｃは、環状部２１ｆの下面から下側に突出する。第３リブ２３ｃは、径方向に延びる。複数の第３リブ２３ｃは、周方向に沿って一周に亘って等間隔に配置される。複数の第３リブ２３ｃと複数の第２リブ２３ｂとは、それぞれ周方向において同じ位置に配置される。第３リブ２３ｃの径方向外側の端部は、第２リブ２３ｂの上端部と繋がる。
【００３１】
図４に示すように、接触部２１ｂは、ロータカップ３２の上側においてロータカップ３２と接触する。より詳細には、第３リブ２３ｃが、インペラ支持部３２ｈの上面と接触する。すなわち、インペラカップ２１は、複数の第３リブ２３ｃを介してロータカップ３２の上面と接触する。これにより、インペラカップ２１とロータカップ３２の上面との接触面積を小さくできる。したがって、例えば、インペラカップ２１の熱膨張率とロータカップ３２の熱膨張率とが異なる場合に、熱膨張あるいは熱収縮によってインペラカップ２１とロータカップ３２とに生じる応力をより低減できる。そのため、インペラカップ２１およびロータカップ３２が破損することをより抑制できる。
【００３２】
接触部２１ｂがロータカップ３２と接触した状態において、第２筒状部２１ａは、フランジ部３２ｃよりも上側に離れて配置される。すなわち、フランジ部３２ｃは、第２筒状部２１ａの下側に隙間を空けて配置される。そのため、接触部２１ｂをインペラ支持部３２ｈに接触させることで、インペラカップ２１の軸方向Ｚの位置をロータカップ３２に対して精度よく位置決めすることができる。
【００３３】
第１凸部２１ｃは、第２筒状部２１ａから下側に突出する。より詳細には、図６に示すように、第２凹部２１ｄの内側面のうち下側を向く面から下側に突出する。第１凸部２１ｃの下端部は、例えば、第２筒状部２１ａの下端部と軸方向Ｚにおいて同じ位置にある。第１凸部２１ｃは、周方向に延びる。第１凸部２１ｃは、周方向に沿って円弧状に湾曲する長方形板状である。
【００３４】
図４に示すように、第１凸部２１ｃは、少なくとも一部が第１穴部３５内に位置する。そのため、例えば、インペラカップ２１に遠心力等が加えられ、インペラカップ２１が径方向外側に変形しようとする場合であっても、第１凸部２１ｃが第１穴部３５の内側面に引っ掛かり、インペラカップ２１の変形を抑制できる。これにより、送風装置１０の風量特性が低下することを抑制できる。また、羽根部２２がハウジング５０に接触することを抑制でき、羽根部２２が破損することを抑制できる。また、インペラカップ２１がロータカップ３２に対して周方向に回転することを抑制できる。
【００３５】
例えば、図４では、第１凸部２１ｃは、第１穴部３５の内側面のうち径方向両側の面から径方向に離れた位置にある。この状態から、インペラカップ２１が径方向外側に変形すると、第１凸部２１ｃは、第１穴部３５の内側面のうち径方向外側の面に接触して引っ掛かる。これにより、第１凸部２１ｃが第１穴部３５よりも径方向外側に移動することを抑制でき、インペラカップ２１の変形を抑制できる。
【００３６】
本実施形態では、フランジ部３２ｃが第１穴部３５を有し、インペラカップ２１が第１凸部２１ｃを有する。そのため、インペラカップ２１に第１穴部を作る場合に比べて、フランジ部３２ｃの一部を打ち抜くことで容易に第１穴部３５を作ることができる。
【００３７】
第１凸部２１ｃは、第１穴部３５内に上側から挿入される。第１凸部２１ｃは、第１穴部３５内を軸方向Ｚに通過する。第１凸部２１ｃの下端部は、フランジ部３２ｃよりも下側に位置する。そのため、第１凸部２１ｃを第１穴部３５に確実に引っ掛けやすく、インペラカップ２１の変形をより抑制できる。また、第１凸部２１ｃの下端部に重心バランスを調整するための重り等を取り付けることもできる。
【００３８】
また、本実施形態では、第１穴部３５をプレス金型で打ち抜いて作る際に生じるバリ３２ｅがフランジ部３２ｃの下面にある。そのため、バリ３２ｅがフランジ部３２ｃの上面に生じる場合に比べて、バリ３２ｅが第１凸部２１ｃの挿入の妨げにならず、第１凸部２１ｃを第１穴部３５内に上側から挿入しやすい。
【００３９】
図２に示すように、第１凸部２１ｃが挿入された状態において、フランジ部３２ｃの一部は、第２凹部２１ｄ内に位置する。本実施形態では、インペラカップ２１は、複数の第１凸部２１ｃを有する。図６に示すように、複数の第１凸部２１ｃのそれぞれは、複数の第２凹部２１ｄの内側面のうち下側を向く面のそれぞれから下側に突出する。
【００４０】
図２に示すように、複数の第１凸部２１ｃは、複数の第１穴部３５内のそれぞれに挿入される。これにより、インペラカップ２１の変形をより抑制できる。第１凸部２１ｃの数は、羽根部２２の数と同じである。図２では、例えば、第１凸部２１ｃの数は、５個である。複数の第１凸部２１ｃは、周方向に沿って一周に亘って等間隔に配置される。
【００４１】
例えば、第２筒状部２１ａにおける羽根部２２が接続される部分は、羽根部２２の自重によって、第２筒状部２１ａにおける他の部分よりも特に変形しやすい。これに対して、本実施形態において第１穴部３５および第１凸部２１ｃの少なくとも一部は、第２筒状部２１ａにおける羽根部２２が接続される部分と周方向の位置が重なる。そのため、第２筒状部２１ａにおいて特に変形しやすい部分の変形を好適に抑制することができ、インペラカップ２１の変形をより抑制できる。本実施形態では、第１穴部３５および第１凸部２１ｃの全体が、第２筒状部２１ａにおける羽根部２２が接続される部分と周方向の位置が重なる。
【００４２】
図４に示すように、本実施形態においてインペラカップ２１は、接着剤７０によってロータカップ３２と固定される。接着剤７０は、第２筒状部２１ａの径方向内側面のうち周方向に隣り合う第１リブ２３ａ同士の間の部分と第１筒状部３２ｂの径方向外側面との間、第２筒状部２１ａの径方向内側面のうち周方向に隣り合う第２リブ２３ｂ同士の間の部分と第１筒状部３２ｂの径方向外側面との間、および第１凹部２１ｅ内に配置される。すなわち、第１凹部２１ｅ内には、第２筒状部２１ａの径方向内側面と第１筒状部３２ｂの径方向外側面とを接着する接着剤７０が配置される。そのため、第１凹部２１ｅ内に配置される接着剤７０が抜け止めとして機能し、インペラカップ２１がロータカップ３２から軸方向Ｚに移動して抜けることを抑制できる。
【００４３】
図１に示すように、回路基板８０は、径方向に拡がる板状である。回路基板８０は、ステータ３４の下側においてステータ３４に固定される。回路基板８０は、モータ３０と電気的に接続される。
【００４４】
ハウジング５０は、モータ支持部４０よりも径方向外側に配置される。ハウジング５０は、軸方向Ｚに延びる筒状である。ハウジング５０は、インペラ２０およびモータ３０の径方向外側において、インペラ２０およびモータ３０を囲む。ハウジング５０の下端部は、複数の接続リブ５１によってモータ支持部４０と繋がる。
【００４５】
本発明は上述の実施形態に限られず、他の構成を採用することもできる。以下の説明においては、上記実施形態と同様の構成については、適宜同一の符号を付す等により説明を省略する場合がある。
【００４６】
＜第２実施形態＞
図７および図８に示すように、本実施形態の送風装置１１０において、ロータカップ１３２における蓋部１３２ａは、蓋部１３２ａの上面から下側に窪む第２穴部１３２ｉを有する。第２穴部１３２ｉは、蓋部１３２ａの径方向外縁部に位置する。第２穴部１３２ｉは、蓋部１３２ａを軸方向Ｚに貫通する。第２穴部１３２ｉは、蓋部１３２ａの径方向外縁部から第１筒状部３２ｂの上端部に跨る。本実施形態においてロータカップ１３２は、例えば、複数の第２穴部１３２ｉを有する。複数の第２穴部１３２ｉは、周方向に沿って一周に亘って等間隔に配置される。第２穴部１３２ｉの数は、例えば、１０個である。
【００４７】
図８および図９に示すように、フランジ部１３２ｃは、フランジ部本体１３７ａと、第１凸部１３７ｂと、を有する。図８に示すように、フランジ部本体１３７ａは、第１筒状部３２ｂの下方部分から径方向外側に突出する。より詳細には、フランジ部本体１３７ａは、第１筒状部３２ｂの下端部から径方向外側に突出する。図９に示すように、フランジ部本体１３７ａの周方向の寸法は、径方向内側から径方向外側に向かうに従って大きくなる。フランジ部本体１３７ａの周方向両側の縁部１３２ｄは、径方向沿って直線状に延びる。
【００４８】
図８に示すように、第１凸部１３７ｂは、フランジ部本体１３７ａの径方向外側の端部から上側に突出する。第１凸部１３７ｂは、周方向に延びる。第１凸部１３７ｂは、周方向に沿って円弧状に湾曲する長方形板状である。第１凸部１３７ｂの周方向の寸法は、フランジ部本体１３７ａの径方向外側の端部における周方向の寸法と同じである。
【００４９】
図１０に示すように、本実施形態のインペラ１２０において、インペラカップ１２１の第２筒状部１２１ａは、本体部１２１ｆと、内側筒部１２１ｇと、外側筒部１２１ｈと、を有する。本体部１２１ｆは、中心軸Ｊを中心として軸方向Ｚに延びる円筒状である。内側筒部１２１ｇは、本体部１２１ｆの径方向内縁部から下側に延びる円筒状である。内側筒部１２１ｇの下端部は、フランジ部本体１３７ａの上面と接触する。
【００５０】
外側筒部１２１ｈは、本体部１２１ｆの径方向外縁部から下側に延びる円筒状である。外側筒部１２１ｈは、内側筒部１２１ｇの径方向外側に離れて配置される。外側筒部１２１ｈの下端部は、内側筒部１２１ｇの下端部よりも下側に位置する。外側筒部１２１ｈの下端部は、フランジ部１３２ｃよりも下側に位置する。
【００５１】
本体部１２１ｆと内側筒部１２１ｇと外側筒部１２１ｈとによって、第２筒状部１２１ａの下端部から上側に窪む第１穴部１２１ｉが構成される。すなわち、インペラカップ１２１は、第１穴部１２１ｉを有する。第１穴部１２１ｉは、底部を有する穴である。第１穴部１２１ｉ内には、第１凸部１３７ｂの少なくとも一部が位置する。これにより、第１実施形態と同様に、インペラカップ１２１が変形することを抑制できる。
【００５２】
このように本実施形態では、インペラカップ１２１が第１穴部１２１ｉを有し、フランジ部１３２ｃが第１凸部１３７ｂを有する。そのため、例えば、フランジ部に第１穴部を作るような場合に比べて、フランジ部１３２ｃの径方向の寸法を小さくしやすい。これにより、送風装置１１０の径方向の寸法を小さくしやすい。図１０では、第１凸部１３７ｂの全体が第１穴部１２１ｉ内に位置する。第１凸部１３７ｂは、内側筒部１２１ｇと外側筒部１２１ｈとの径方向の間に位置する。図１０では、第１凸部１３７ｂは、内側筒部１２１ｇおよび外側筒部１２１ｈから径方向に離れた位置にある。
【００５３】
本実施形態では、第１凸部１３７ｂは、フランジ部１３２ｃの径方向外側の端部から上側に突出する構成であるため、フランジ部１３２ｃの径方向外側の端部を、上側から視て第１穴部１２１ｉと重なる位置に配置できる。これにより、フランジ部１３２ｃの径方向外側の端部を第２筒状部１２１ａの径方向外側面よりも径方向内側に配置することができる。したがって、送風装置１１０の風量が低減することを抑制でき、送風装置１１０から生じる騒音を低減できる。第１穴部１２１ｉに挿入された状態において第１凸部１３７ｂの上端部は、第１穴部１２１ｉの底部から下側に離れて配置される。
【００５４】
図１１に示すように、インペラカップ１２１は、第２凸部１２４を有する。第２凸部１２４は、接触部１２１ｂから下側に突出する四角柱状である。図７に示すように、第２凸部１２４は、少なくとも一部が第２穴部１３２ｉ内に位置する。そのため、インペラカップ１２１が径方向外側に変形しようとする場合であっても、第２凸部１２４が第２穴部１３２ｉの内側面に引っ掛かり、インペラカップ１２１の変形がより抑制される。また、インペラカップ１２１がロータカップ１３２に対して周方向に回転することをより抑制できる。本実施形態において接触部１２１ｂは、第１実施形態と異なり、第３リブを有しない。
【００５５】
本実施形態においてインペラカップ１２１は、複数の第２凸部１２４を有する。複数の第２凸部１２４は、周方向に沿って一周に亘って等間隔に配置される。複数の第２凸部１２４のそれぞれは、複数の第２穴部１３２ｉ内のそれぞれに挿入される。これにより、インペラカップ１２１の変形をより抑制できる。
【００５６】
図１１に示すように、インペラカップ１２１は、第２筒状部１２１ａの径方向内側面から径方向内側に突出する複数のリブ１２３を有する。複数のリブ１２３は、周方向に沿って一周に亘って等間隔に配置される。複数のリブ１２３は、複数の第２凸部１２４とそれぞれ周方向において同じ位置にある。リブ１２３は、内側筒部１２１ｇの径方向内側面の下端部から本体部１２１ｆの径方向内側面の上端部まで軸方向Ｚに延びる。複数のリブ１２３は、第１筒状部３２ｂの外周面と接触する。これにより、熱膨張あるいは熱収縮によってインペラカップ１２１とロータカップ１３２とに生じる応力を低減でき、インペラカップ１２１およびロータカップ３２が破損することを抑制できる。
【００５７】
上述した各実施形態においてフランジ部の径方向外側の端部は、第２筒状部の径方向外側面と径方向において同じ位置にあってもよい。この場合においても、フランジ部の径方向外側の端部が第２筒状部よりも径方向外側に突出しないため、送風装置の風量が低減することを抑制でき、送風装置から生じる騒音を低減できる。また、フランジ部の径方向外側の端部は、第２筒状部の径方向外側面よりも径方向外側に位置してもよい。また、フランジ部は、第１筒状部の下方部分であれば、第１筒状部の下端部よりも上側の部分から径方向外側に突出してもよい。
【００５８】
第１実施形態において第１穴部は、底部を有する穴であってもよい。第２実施形態において第１穴部は、第２筒状部を軸方向Ｚに貫通する孔であってもよい。上記各実施形態では、フランジ部とインペラカップとのうちの一方が第１穴部を有し、フランジ部とインペラカップとのうちの他方が第１凸部を有する構成としたが、これに限られない。例えば、フランジ部とインペラカップとのうちの両方が第１穴部および第１凸部をそれぞれ有してもよい。また、第１凸部の形状および第１穴部の形状は、特に限定されない。ロータカップは、バリを有しなくてもよい。
【００５９】
なお、上述した各実施形態の送風装置の用途は限定されない。また、上述した各構成は、相互に矛盾しない範囲内において、適宜組み合わせることができる。
【符号の説明】
【００６０】
１０，１１０…送風装置、２０，１２０…インペラ、２１，１２１…インペラカップ、２１ａ，１２１ａ…第２筒状部、２１ｂ，１２１ｂ…接触部、２１ｃ，１３７ｂ…第１凸部、２１ｅ…第１凹部、２２…羽根部、２３ａ…第１リブ（リブ）、２３ｂ…第２リブ（リブ）、３０…モータ、３１…シャフト、３２，１３２…ロータカップ、３２ａ，１３２ａ…蓋部、３２ｂ…第１筒状部、３２ｃ，１３２ｃ…フランジ部、３２ｄ…縁部、３２ｅ…バリ、３３…ロータマグネット、３４…ステータ、３５，１２１ｉ…第１穴部、７０…接着剤、１２３…リブ、１２４…第２凸部、１３２ｉ…第２穴部、１３７ａ…フランジ部本体、Ｊ…中心軸、Ｚ…軸方向
【図１】
2017222055.tif 000003
【図２】
2017222055.tif 000004
【図３】
2017222055.tif 000005
【図４】
2017222055.tif 000006
【図５】
2017222055.tif 000007
【図６】
2017222055.tif 000008
【図７】
2017222055.tif 000009
【図８】
2017222055.tif 000010
【図９】
2017222055.tif 000011
【図１０】
2017222055.tif 000012
【図１１】
2017222055.tif 000013
【国際調査報告】
2017222055.tif 000014
2017222055.tif 000015
2017222055.tif 000016